(57)【要約】  【課題】装置としての美的外観を損なうことなく、ユーザによる適切な操作を実現する。  【解決手段】操作装置１は、発光部３０により透過パネル１０の裏側から透過領域１２を照らす。ここで、透過パネル１０裏側には、透過領域１２にユーザが接近したことを検出する接近センサ２０が設けられているため、発光部３０は、ユーザの接近，つまりユーザによる操作を検出可能な領域を照らしていることになる。このように、可視光で照らすことで、ユーザによる操作を検出可能な領域が視認できるようになるため、ユーザは、装置としての形状とは無関係に、その領域を視認したうえで操作を行うことができる。このように、ユーザによる適切な操作を装置としての形状に頼る必要がないため、装置の形状に対する自由度が高くなる結果、ユーザにより適切な操作を行わせるために装置としての美的外観が損なわれてしまうこともない。【選択図】図１
2007248741.tif 000002
【特許請求の範囲】
【請求項１】
電子楽器に備えられる操作装置であって、
可視光を透過可能な透過領域が少なくとも１以上形成されてなる板状の透過パネルと、
該透過パネルにおける裏側の領域のうち、前記透過領域それぞれに対応する領域に設けられ、該透過領域を挟んだ前記透過パネル表側の領域にユーザが接近したことを検出する接近センサと、
前記透過パネルにおける裏側の領域に設けられ、該領域から前記透過パネルの表側に向けて可視光を出力する発光手段と、を備えており、
前記接近センサによりユーザの接近が検出されたことを、ユーザにより操作が行われたこととして検出するように構成されている
ことを特徴とする操作装置。
【請求項２】
前記透過パネルは、該透過パネル表面に沿った面のうち、前記透過パネル表側からみた場合に前記透過領域と重なる領域それぞれに、該透過領域に対応する前記接近センサに関連づけられた情報が表示されている
ことを特徴とする請求項１に記載の操作装置。
【請求項３】
前記透過パネルに複数の前記透過領域が形成され、該透過領域それぞれに対応する複数の前記接近センサが設けられている場合において、
前記発光手段は、前記透過パネルにおける裏側の領域のうち、前記透過領域それぞれに対応する領域に設けられている
ことを特徴とする請求項１または請求項２に記載の操作装置。
【請求項４】
前記透過パネルにおける裏側の領域のうち、複数の前記発光手段それぞれの間に設けられた遮光部材を備えている
ことを特徴とする請求項３に記載の操作装置。
【請求項５】
開閉自在の蓋部材を開くことで演奏可能な状態となる電子楽器に備えられる操作装置であって、
前記電子楽器の備える蓋部材の開閉状態を検出する開閉検出手段と、
該開閉検出手段により前記蓋部材が開いていることが検出されている間のみ、前記接近センサによる検出が可能な状態に切り替える検出切替手段と、を備えている
ことを特徴とする請求項１から４のいずれかに記載の操作装置。
【請求項６】
前記透過パネルは、前記透過領域が、前記発光手段により可視光が出力されていない状態において、前記透過領域の表側から裏側が視認できない程度に光が透過しにくい部材により形成されている
ことを特徴とする請求項１から５のいずれかに記載の操作装置。
【請求項７】
請求項１から６のいずれかに記載の操作装置を備えてなる電子楽器。
【発明の詳細な説明】
【技術分野】
【０００１】
本発明は、ユーザによる操作を受け付ける操作装置に関する。
【背景技術】
【０００２】
電子機器は、機械的なスイッチによりユーザによる入力操作を受け付けるように構成されていることが一般的であるが、機械的なスイッチを備えているため、当然、電子機器の外部にスイッチが露出した状態になる。
【０００３】
このように、外部にスイッチが露出してしまっていることから、電子機器の美的外観を損なう、スイッチが電子機器の美的外観を損なわないようなデザインにしなければならない、といった問題がある。
【０００４】
このような問題に対しては、筐体に埋設されたセンサ（入力検知手段）によりユーザの操作を検出するように構成された電子機器（オーディオ機器）が提案されている（特許文献１）。この電子機器であれば、スイッチを外部に露出することなく、ユーザによる操作を非接触で受け付けることができるため、電子機器としての美的外観を損なわないようにすることができる。
【特許文献１】特開２００５−３０２１２５号公報
【発明の開示】
【発明が解決しようとする課題】
【０００５】
しかし、上述した技術では、ユーザにより適切な操作を行わせるために、その操作を検出する領域が視認できるような形状で筐体を形成しなければならず、この点で筐体の形状に対する自由度が低くなっている。そのため、必ずしも電子機器としての美的外観を損なわないようにすることができるといえるものではなかった。
【０００６】
本発明は、このような課題を解決するためになされたものであり、その目的は、電子機器としての美的外観を損なうことなく、ユーザによる適切な操作を実現できるようにするための技術を提供することである。
【課題を解決するための手段】
【０００７】
上記課題を解決するため請求項１に記載の操作装置は、電子楽器に備えられる操作装置であって、可視光を透過可能な透過領域が少なくとも１以上形成されてなる板状の透過パネルと、該透過パネルにおける裏側の領域のうち、前記透過領域それぞれに対応する領域に設けられ、該透過領域を挟んだ前記透過パネル表側の領域にユーザが接近したことを検出する接近センサと、前記透過パネルにおける裏側の領域に設けられ、該領域から前記透過パネルの表側に向けて可視光を出力する発光手段と、を備えている。そして、前記接近センサによりユーザの接近が検出されたことを、ユーザにより操作が行われたこととして検出するように構成されている。
【０００８】
このように構成された操作装置は、透過パネルにおける裏側の領域で、この透過パネルの透過領域に対するユーザの接近を、ユーザにより操作が行われたこととして検出する。このように、ユーザによる操作を非接触で受け付けることができることから、機械的なスイッチが外部に露出することがなく、そのことにより装置の美的外観が損なわれることがない。
【０００９】
そして、透過パネルにおける裏側の領域からは、発光手段によって、その領域から透過パネルの表側に向けて可視光が出力されるため、この可視光により透過パネルの透過領域が裏側から照らされることとなる。ここで、透過パネルにおける裏側の領域には、その透過パネルの透過領域にユーザが接近したことを検出する接近センサがそれぞれ設けられているため、発光手段は、ユーザの接近，つまりユーザによる操作を検出可能な領域を可視光で照らしていることになる。これは、操作を行うにあたって、可視光に照らされた領域を、その操作を検出可能な領域として視覚的に確認できることを意味する。
【００１０】
このように、可視光で照らすことで、ユーザによる操作を検出可能な領域が視認できるように構成されていることから、ユーザは、装置としての形状とは無関係に、その領域を視認してから操作を行うことができる。つまり、ユーザによる適切な操作を、装置としての形状に頼る必要がない。よって、ユーザによる適切な操作を装置の形状に頼る構成と比べて、装置の形状に対する自由度が高くなるため、ユーザにより適切な操作を行わせるために装置としての美的外観が損なわれてしまうこともない。
【００１１】
なお、この構成における透過パネルは、少なくとも１以上の透過領域が形成されていればよい。また、透過パネルに複数の透過領域を形成した場合には、各透過領域を、隙間無く並べた構成としてもよいし、可視光を透過しない領域を挟んで並べた構成としてもよい。
【００１２】
また、上述した接近センサは、透過パネルの透過領域を介してユーザの接近を検出するセンサであり、例えば、電界センサ，磁気センサや光センサなどを採用することができる。
【００１３】
また、発光手段は、可視光を出力する手段であって、例えば、発光ダイオードやランプなどを採用することができる。ここで、発光手段としてランプを用いる場合には、ランプから出力される光を収束して出力させるためのレンズを設けるとよい。
【００１４】
また、上述した透過パネルは、請求項２に記載のように、透過パネル表面に沿った面のうち、前記透過パネル表側からみた場合に前記透過領域と重なる領域それぞれに、該透過領域に対応する前記接近センサに関連づけられた情報が表示された構成にするとよい。
【００１５】
この構成であれば、発光手段により透過パネルを裏側から照らした際、透過パネルの透過領域のうち、上記情報の表示された部分が、その表示により他の部分と比べて可視光を透過しにくくなるため、その表示内容が透過領域に浮かび上がったように見えるようになる。これにより、ユーザは、その透過領域における表示内容を視認できるようになる。
【００１６】
ここで、透過領域に表示する情報を、例えば、透過領域に対応する接近センサにより検出される操作の内容を示す情報としておけば、ユーザは、透過領域に表示された情報に基づいて操作内容を確認したうえで、実際の操作を行うことができるようになる。
【００１７】
さらに、透過パネルの透過領域と接近センサとが、複数セット設けられている場合であれば、それぞれの近接センサにより検出される操作内容を明確に区別して実際の操作を行えるようになるため好適である。
【００１８】
なお、この構成において、情報が表示される面は、透過パネル表面に沿った面であればよく、例えば、透過パネルの表面，透過パネルの厚さ方向における特定の面，透過パネルの裏面などが考えられる。また、このように情報を表示する面は、透過パネルと一体の面として構成されていてもよいし、透過パネルとは別体の部材からなるシート状の部材に情報を表示して、これを透過パネルに重ね合わせるといった構成としてもよい。
【００１９】
また、上述した発光手段は、１つのみ設けられた構成としてもよいが、透過パネルに複数の前記透過領域が形成され、該透過領域それぞれに対応する複数の前記接近センサが設けられている場合には、複数が備えられた構成としてもよい。
【００２０】
このためには、例えば、請求項３に記載の操作装置のように構成するとよい。
この操作装置において、前記発光手段は、前記透過パネルにおける裏側の領域のうち、前記透過領域それぞれに対応する領域に設けられている。
【００２１】
このように構成すれば、本操作装置の使用態様に応じて、それぞれの透過領域を、個別に照らした状態としたり照らしていない状態としたり、といった制御が可能となる。
また、このように、透過パネルに複数の透過領域が形成され、透過領域それぞれに対応する複数の接近センサが設けられている場合には、隣接する透過領域を、その透過領域に対応する発光手段ではなく、隣接する他の発光手段が照らしてしまう恐れがある。
【００２２】
そのため、請求項４に記載のように、前記透過パネルにおける裏側の領域のうち、複数の前記発光手段それぞれの間に設けられた遮光部材を備えた構成とするとよい。
このように構成すれば、隣接する透過領域を、その透過領域に対応する発光手段ではなく、隣接する他の発光手段が照らしてしまうことを効果的に防止することができる。
【００２３】
また、上述した各操作装置は、開閉自在の蓋部材を開くことで演奏可能な状態となる電子楽器に備えられることが考えられ、この場合には、操作装置による操作を蓋部材の開閉動作に連動して有効または無効にするように構成してもよい。
【００２４】
このためには、例えば、請求項５に記載の操作装置のように構成することが考えられる。この操作装置は、開閉自在の蓋部材を開くことで演奏可能な状態となる電子楽器について、該電子楽器の備える蓋部材の開閉状態を検出する開閉検出手段と、該開閉検出手段により前記蓋部材が開いていることが検出されている間のみ、前記接近センサによる検出が可能な状態に切り替える検出切替手段と、を備えている。
【００２５】
このように構成すれば、操作装置による操作が、蓋部材が開いているときにのみ有効になるため、操作装置，ひいては電子楽器の操作を、その蓋部材を開くことに連動させて有効なものとすることができる。
【００２６】
ところで、上述した透過パネルは、発光手段による可視光で透過領域の裏側が照らされることで、その操作領域をユーザが視認可能な状態となるものであれば、その部材としてどの程度の透過率を有する部材で形成してもよい。例えば、発光手段による可視光で透過パネルにおける裏側の領域が照らされていない状態のときに、透過パネルの表側から裏側の領域が透けて見える程度の透過率を有する部材で形成してもよい。
【００２７】
ただ、操作装置としての美的外観を損なわないようにする観点からすると、発光手段による可視光で透過パネルにおける裏側の領域が照らされていない状態のときには、透過パネルの表側から裏側の領域が透けて見えないことが望ましい。
【００２８】
このためには、例えば、請求項６に記載の操作装置のように、透過パネルの透過領域が、前記発光手段により可視光が出力されていない状態において、前記透過領域の表側から裏側が視認できない程度に光が透過しにくい部材により形成されている、とよい。
【００２９】
このように構成すれば、発光手段による可視光で透過パネルにおける裏側の領域が照らされていない状態のときには、透過パネルの表側から裏側の領域が透けて見えることはないため、そのように透けて見えることで操作装置としての美的外観が損なわれることがない。
【００３０】
また、請求項７に記載の電子楽器は、請求項１から６のいずれかに記載の操作装置を備えてなるものである。
このような電子楽器であれば、請求項１から６のいずれかに記載の操作装置により得られるのと同様の作用，効果を得ることができる。
【発明を実施するための最良の形態】
【００３１】
以下に本発明の実施形態を図面と共に説明する。
（１）全体構成
操作装置１は、電子機器のコントロールパネルの一部としてその電子機器に備えられるものである。なお、本実施形態においては、本操作装置１が、開閉自在の蓋部材（鍵盤蓋）を開くことで演奏可能な状態となる電子楽器（具体的な例として、電子ピアノ，電子オルガンなど）に備えられる場合を例示する。
【００３２】
この操作装置１は、図１に示すように、可視光を透過可能な透過領域１２が形成されてなる板状の透過パネル１０、透過パネル１０における裏（図１（ｂ）における下）側の領域に設けられた複数の接近センサ２０、透過パネル１０における裏側の領域に設けられた複数の発光部３０、電子楽器の備える蓋部材の開閉状態を検出する開閉検出センサ６０などを備えている。
【００３３】
そして、この操作装置１は、表面（図１（ｂ）における上面）側から透過領域１２にユーザ（の手）が接近してきたことを、接近センサ２０により検出し、これをユーザにより操作が行われたこととして検出するように構成されている。また、この操作装置１は、図２に示すように、各接近センサ２０，各発光部３０，開閉検出センサ６０が制御部４０に接続され、この制御部４０によって操作装置１全体としての動作が制御されるように構成されている。なお、透過パネル１０における裏面の領域には、隣接する発光部３０間の領域を区切るように遮光部材５０が設けられている。
【００３４】
この操作装置１における透過パネル１０は、板状の部材表面における複数の領域それぞれが、裏面まで可視光を透過可能な透過領域１２として形成されている。この透過パネル１０における透過領域１２は、可視光が透過可能とはいえ、裏側から可視光に照らされない限り、表側から裏側の領域を視認できない程度の透過率を有する部材で形成されたものである。なお、本実施形態において、この透過領域１２は、それぞれが透過パネル１０を上からみた場合において四角形となるように形成されており、これらが同一方向（図１における左右方向）に隙間を空けることなく並べられている。つまり、この透過パネル１０には、同一方向に延びる帯状の透過領域が形成されていることになる。
【００３５】
また、透過パネル１０の裏面には、透過領域１２に対応する領域（透過パネル１０を上から投影した面において透過領域１２と重なる領域；以下、同様）それぞれに、その透過領域１２に対応付けられた文字情報１４が、透過パネル１０の表側からみて正しく読みとれるような位置関係で記載されている。ここでいう「透過領域１２に対応付けられた情報」とは、その透過領域１２へのユーザの接近が接近センサ２０に検出された際、その接近が、どのような操作を示すものとして検出されるか、といった具体的な操作内容を意味するものである。
【００３６】
また、接近センサ２０は、透過パネル１０の裏面に配置された基板２２の上面のうち、透過領域１２に対応する領域それぞれに実装された電界センサであって、透過パネル１０を挟んで透過領域１２にユーザが接近してきたことを検出し、その検出結果を制御部４０に通知する。なお、この接近センサ２０は、基板２２上面の透過領域１２に対応する領域の中心を取り囲むように配置された配線パターンとして実装されており、この基板２２のうち、配線パターンで取り囲まれた内側の領域には、上下方向に貫通する貫通孔２２ａが形成されている。
【００３７】
また、発光部３０は、透過パネル１０における裏側の領域に配置された基板３２の上面のうち、透過領域１２に対応する領域それぞれに実装された発光ダイオードである。そして、この発光部３０は、制御部４０からの指令（つまり駆動信号）を受けて発光することにより、基板２２の貫通孔２２ａおよび透過領域１２を介して可視光を透過パネル１０の表面に向けて出力する。なお、この発光部３０は、本発明における発光手段に相当する。
【００３８】
また、開閉検出センサ６０は、近接スイッチにより構成されており、電子楽器の蓋部材が閉じていること、または、開いていることを検出し、その検出結果を制御部４０に通知する。なお、この開閉検出センサ６０は、本発明における開閉検出手段に相当する。
（２）制御部４０による操作受付処理
以下に、制御部４０により行われる操作受付処理の処理手順を、図３に基づいて説明する。この操作受付処理は、以下に示すように、電子楽器の蓋部材が開いた状態になることで起動する処理である。
【００３９】
この操作受付処理では、まず、開閉検出センサ６０により蓋部材が開いた状態になったことが検出されるまでの待機が行われる（ｓ１０２：ＮＯ）。
このｓ１０２にて蓋部材が開いた状態になったことが検出されたら（ｓ１０２：ＹＥＳ）、電子楽器および操作装置１が起動する（ｓ１０４）。
【００４０】
次に、複数の発光部３０のうち、所定の発光部３０のみが発光する（ｓ１１０）。ここでは、制御部４０から、所定の発光部３０のみに対して、発光すべき旨の指令がなされ、この指令を受けた発光部３０が発光する。この「所定の発光部３０」とは、複数の透過領域１２のうち、いずれかの透過領域１２に電子楽器の使用を開始すべき旨の操作が割り当てられている場合において、その透過領域１２（以降、「特定透過領域」という）に対応する発光部３０のことである。
【００４１】
次に、電子楽器の使用を開始すべき旨の操作が行われるまでの待機が行われる（ｓ１２０：ＮＯ）。ここでは、特定透過領域に対応する接近センサ２０によりユーザの接近が検出された際に、電子楽器の使用を開始すべき旨の操作が行われたと判定される。なお、このｓ１２０の時点においては、接近センサ２０によりユーザの接近が検出されたとしても、その接近センサ２０が、特定透過領域に対応する接近センサ２０でなければ、何らかの操作が行われたものとしては判定されないように構成されている。
【００４２】
こうして、電子楽器の使用を開始すべき旨の操作が行われたと判定された場合（ｓ１２０：ＹＥＳ）、全ての発光部３０が発光する（ｓ１３０）。ここでは、制御部４０から、全ての発光部３０のみに対して発光すべき旨の指令がなされ、この指令を受けた発光部３０がそれぞれ発光する。
【００４３】
次に、透過領域１２に割り当てられている操作のうち、いずれかの操作が行われたか否かがチェックされる（ｓ１４０）。ここでは、いずれかの接近センサ２０によりユーザの接近が検出された際に、その接近センサ２０に対応する透過領域１２について、その透過領域１２に割り当てられている操作が行われたと判定する。また、この時点において、特定透過領域に対応する接近センサ２０によりユーザの接近が検出された場合には、電子楽器の使用を終了すべき旨の操作が行われたものと判定される。
【００４４】
このｓ１４０で、いずれかの操作も行われていないと判定された場合（ｓ１４０：ＮＯ）、開閉検出センサ６０により蓋部材が閉じた状態になったことが検出されたか否かがチェックされる（ｓ１４２）。
【００４５】
このｓ１４２で、蓋部材が閉じた状態になったことが検出されていない場合（ｓ１４２：ＮＯ）、プロセスがｓ１４０へ戻る一方、蓋部材が閉じた状態になったことが検出された場合（ｓ１４２：ＹＥＳ）、ｓ１１０にて発光した発光部３０を含めて全ての発光部３０が発光を終了し（ｓ１４４）、電子楽器および操作装置１が停止した後（ｓ１４６）、本操作受付処理が終了する。このｓ１４４では、制御部４０から、ｓ１１０にて発光した発光部３０を含む全ての発光部３０に対して、発光を終了すべき旨の指令がなされ、この指令を受けた発光部３０が発光を終了する。
【００４６】
また、ｓ１４０で、いずれかの操作が行われたと判定された場合（ｓ１４０：ＹＥＳ）、その操作が、電子楽器の使用を終了すべき旨の操作でなければ（ｓ１５０：ＮＯ）、その操作に対応する処理が行われた後（ｓ１６０）、プロセスがｓ１４２へ移行する。このｓ１６０では、その操作内容に応じて電子楽器の設定を変更するなどといった処理が行われる。なお、こうして電子楽器の設定が変更された際には、その設定された内容に応じて、上述した各発光部３０による発光の状態（明るさや明滅状態）が変更される。具体的な例としては、特定の音色による演奏を行うための設定がなされた場合であれば、その設定に際して操作された透過領域１２に対応する発光部３０をより強く光らせる、などといったことである。
【００４７】
また、ｓ１４０で行われたと判定された操作が、電子楽器の使用を終了すべき旨の操作であれば（ｓ１５０：ＹＥＳ）、ｓ１１０にて発光した発光部３０を除く全ての発光部３０が発光を終了する（ｓ１７０）。ここでは、制御部４０から、ｓ１１０にて発光した発光部３０を除く全ての発光部３０に対して、発光を終了すべき旨の指令がなされ、この指令を受けた発光部３０が発光を終了する。
【００４８】
次に、開閉検出センサ６０により蓋部材が閉じた状態になったことが検出されたか否かがチェックされる（ｓ１７２）。
このｓ１７２で、蓋部材が閉じた状態になったことが検出されていない場合（ｓ１７２：ＮＯ）、プロセスがｓ１２０へ戻る一方、蓋部材が閉じた状態になったことが検出された場合（ｓ１７２：ＹＥＳ）、プロセスがｓ１４４へ移行する。
【００４９】
なお、以上説明した本操作受付処理において、ｓ１０２，ｓ１０４，ｓ１４２，ｓ１４４，ｓ１７２は、本発明における検出切替手段に相当する。
（３）作用，効果
このように構成された操作装置１は、透過パネル１０における裏側の領域で、この透過パネル１０の透過領域１２に対するユーザの接近を、ユーザにより操作が行われたこととして検出するように構成されている。このように、ユーザによる操作を非接触で受け付けることができることから、機械的なスイッチが外部に露出することがなく、そのことにより装置の美的外観が損なわれることがない。
【００５０】
そして、透過パネル１０における裏側の領域からは、発光部３０によって、その領域から透過パネル１０の表側に向けて可視光が出力されるため、この可視光により透過パネル１０の透過領域１２が裏側から照らされることとなる。
【００５１】
ここで、透過パネル１０における裏側の領域には、その透過パネル１０の透過領域１２にユーザが接近したことを検出する接近センサ２０がそれぞれ設けられているため、発光部３０は、ユーザの接近，つまりユーザによる操作を検出可能な領域を可視光で照らしていることになる。これは、操作を行うにあたって、可視光に照らされた領域を、その操作を検出可能な領域として視覚的に確認できることを意味する。
【００５２】
このように、可視光で照らすことで、ユーザによる操作を検出可能な領域が視認できるように構成されていることから、ユーザは、装置としての形状とは無関係に、その領域を視認したうえで操作を行うことができる。つまり、ユーザによる適切な操作を、装置としての形状に頼る必要がない。よって、ユーザによる適切な操作を装置の形状に頼る構成と比べて、装置の形状に対する自由度が高くなるため、ユーザにより適切な操作を行わせるために装置としての美的外観が損なわれてしまうこともない。
【００５３】
また、上記実施形態においては、透過領域１２それぞれに対して発光部３０が設けられているため、操作装置１の使用態様に応じて、それぞれの透過領域１２を、個別に照らした状態としたり照らしていない状態としたり、といった制御が可能となる（例えば、図２のｓ１１０，ｓ１３０）。
【００５４】
また、上記実施形態においては、透過パネル１０における裏側の領域のうち、複数の発光部３０それぞれの間となる領域に設けられた遮光部材５０が備えられている。そのため、隣接する透過領域１２を、その透過領域１２に対応する発光部３０ではなく、隣接する他の発光部３０が照らしてしまうということを、効果的に防止することができる。
【００５５】
また、透過パネル１０には、その裏面において透過領域１２に対応する領域それぞれに、その透過領域１２に対応付けられた文字情報１４が記載されている。そのため、発光部３０により透過パネル１０を裏側から照らした際、透過領域１２において文字情報１４の表示された部分が、その表示により他の部分と比べて可視光を透過しにくくなるため、その表示内容が透過領域１２に浮かび上がったように見えるようになる。これにより、ユーザは、その透過領域１２における表示内容を視認できるようになる。
【００５６】
ここで、その文字情報１４は、透過領域１２に割り当てられた操作の内容を示す情報であることから、ユーザは、透過領域１２に表示された文字情報１４に基づいて操作内容を確認し、それぞれの透過領域１２に割り当てられた操作内容を明確に区別したうえで、実際の操作を行うことができる。
【００５７】
また、上記実施形態においては、電子楽器の蓋部材が開いているときにのみ、操作装置１が起動した状態となって、その操作が有効になるため、操作装置１，ひいては電子楽器の操作を、その蓋部材を開くことに連動させて有効なものとすることができる。
【００５８】
また、上記実施形態における透過パネル１０は、透過領域１２が、発光部３０に照らされていない状態において、表側から裏側が視認できない程度に光が透過しにくい部材で形成されている。そのため、そのように照らされていない状態のときには、透過パネル１０の表側から裏側の領域が透けて見えることはないため、そのように透けて見えることで操作装置１としての美的外観が損なわれてしまうことがない。
（４）変形例
以上、本発明の実施の形態について説明したが、本発明は、上記実施形態に何ら限定されることはなく、本発明の技術的範囲に属する限り種々の形態をとり得ることはいうまでもない。
【００５９】
例えば、上記実施形態においては、本発明が電子楽器に備えられた構成について例示したが、電子楽器以外の電子機器に備えられる構成として採用することもできる。
また、上記実施形態においては、接近センサ２０が近接スイッチにより構成された場合を例示した。しかし、この接近センサ２０としては、ユーザの接近を検出することができれば、近接スイッチ４０以外のものを採用することができる。具体的な例としては、磁気センサや光センサで構成することが考えられる。また、透明な操作面を有するタッチパネルで構成することも考えられる。また、可視光を透過可能なものであれば、ユーザとの物理的な接触によりその接近を検出するスイッチを採用してもよい。
【００６０】
また、上記実施形態においては、発光部３０が発光ダイオードにより構成された場合を例示した。しかし、この発光部３０としては、可視光を出力できれば、発光ダイオード以外のものを採用することができる。具体的な例としては、ランプで構成することが考えられる。この場合、ランプから出力される光を収束して透過パネル１０の表側に向けて出力させることのできるレンズを設けることが望ましい。
【００６１】
また、上記実施形態においては、透過パネル１０が、複数の透過領域１２が隙間無く並べられている構成を例示した。しかし、これら透過領域１２については、可視光を透過しない領域を挟んで並べられた構成としてもよい。
【００６２】
また、上記実施形態においては、透過パネル１０に表示された文字情報１４が、透過パネル１０の裏面に記載されている構成を例示した。しかし、この文字情報１４は、例えば、透過パネル１０の表面，透過パネル１０の厚さ方向における特定の面などに記載された構成としてもよい。
【００６３】
また、上記実施形態においては、文字情報１４が透過パネル１０に直接記載されている場合を例示したが、文字情報１４を記載したシートを透過パネル１０に重ねるような構成としてもよい。また、外部からの指令により情報を表示するパネル状の表示装置を、透過パネル１０に重ねる，または，透過パネル１０と一体に形成し、その表示装置に対して制御部４０から文字情報の表示を指令するように構成してもよい。この場合、あらかじめ定められた文字情報１４だけでなく、任意の文字情報を自由に表示させることもできるようになるため好適である。
【００６４】
また、上記実施形態においては、透過パネル１０の透過領域１２に記載された文字情報１４が、可視光を透過しない（または透過しにくい）部材で透過領域１２に記載されたものである構成を例示した。しかし、この文字情報１４は、可視光を透過しない（または透過しにくい）部材で透過領域１２の裏側を全体的に覆った状態から、その部材の一部分を文字情報１４として読み取れるように切り抜く（つまり文字情報１４と透過領域１２とが同じものとなる）ことで形成してもよい。
【００６５】
このように構成すれば、その文字情報１４に対応する領域のみが、透過パネル１０の表側に可視光を透過させるため、その文字情報１４が文字そのものとして浮かび上がった状態で視認できるようにすることができる。
【００６６】
また、上記実施形態においては、操作装置１に対する何らかの操作が行われた際、その操作に対応する処理（図３のｓ１６０）の一部として、各発光部３０による発光の状態（明るさや明滅状態）を変更するように構成されたものを例示した。しかし、操作装置１における同一の透過領域１２に対応する発光部３０として、複数色による発光が可能な発光部，または，それぞれ発光する色が異なる複数の発光部を備えておき、その透過領域１２に対応する発光部による発光の色を変更するように構成してもよい。
【００６７】
また、上記実施形態においては、電子楽器，操作装置１が起動した際、所定の発光部３０を発光させる（図３のｓ１１０）ように構成されたものを例示した。しかし、電子楽器，操作装置１が起動した際に、いずれの発光部３０も発光させることなく、使用を開始すべき旨の操作が行われたか否かを判定するように構成してもよい。
【図面の簡単な説明】
【００６８】
【図１】操作装置の構造を示す図
【図２】操作装置の制御系統を示すブロック図
【図３】操作受付処理を示すフローチャート
【符号の説明】
【００６９】
１…操作装置、１０…透過パネル、１２…透過領域、１４…文字情報、２０…接近センサ、２２…基板、２２ａ…貫通孔、３０…発光部、３２…基板、４０…制御部、５０…遮光部材、６０…開閉検出センサ。
【図１】
2007248741.tif 000003
【図２】
2007248741.tif 000004
【図３】
2007248741.tif 000005